(57)【要約】【課題】直線的な運動のみではなく、複雑な動作が可能で、取り付けおよび容姿が自然体に近く形成可能な時計の装飾装置を提供する。【解決手段】装飾体５は、胴部５１と、開閉可能な嘴片を有する頭部５２と、尾部５３と、胴部を支持し、底部側５４ａから胴部内に連通する連通孔５４１が形成され、第１のワイヤー６の一端側が挿通される第１の脚部５４と、胴部を支持し、底部５５ａ側から胴部内に連通する連通孔５５１が形成され、第２のワイヤー７の一端側が挿通される第２の脚部５５と、胴部内に配置され、第１のワイヤー６の一端部が接続され、第１ワイヤー６の往復運動に応じて頭部５２の所定範囲内での正逆回転往復動作を行わせる回転部５６と、胴部内に配置され、第２のワイヤー７の一端部が接続され、第２のワイヤー７の往復運動に応じて嘴片５２１の開閉運動と尾部の回動動作を連動させる連動部５７と、を含む。【選択図】      図２
2005292053.tif 000002
【特許請求の範囲】
【請求項１】
装飾体と、
筐体内に配置された駆動部と、
上記装飾体と上記駆動部間に接続された第１のワイヤーと、
上記装飾体と上記駆動部間に接続された第２のワイヤーと、を有し、
上記装飾体は、
胴部と、
上記胴部に対して所定範囲で回転可能に取り付けられ、開閉可能な嘴片を有する頭部と、
上記胴部に対して所定範囲で回動可能に取り付けられた尾部と、
上記胴部を支持し、かつ、底部側から上記胴部内に連通する連通孔が形成され、上記第１のワイヤーの一端側が挿通される第１の脚部と、
上記胴部を支持し、かつ、底部側から上記胴部内に連通する連通孔が形成され、上記第２のワイヤーの一端側が挿通される第２の脚部と、
少なくとも上記胴部内に配置され、上記第１のワイヤーの一端部が接続され、当該第１のワイヤーの往復運動に応じて上記頭部の所定範囲内での正逆回転往復動作を行わせる回転手段と、
少なくとも上記胴部内に配置され、上記第２のワイヤーの一端部が接続され、当該第２のワイヤーの往復運動に応じて上記嘴片の開閉運動と上記尾部の回動動作を連動させる連動手段と、を含み、
上記駆動部は、
第１のモータを有し、上記第１のワイヤーの他端部が接続され、上記第１のモータの回転運動を所定範囲の往復運動に変換して上記第１のワイヤーの他端部に伝達する第１のワイヤー駆動手段と、
第２のモータを有し、上記第２のワイヤーの他端部が接続され、上記第２のモータの回転運動を所定範囲の往復運動に変換して上記第２のワイヤーの他端部に伝達する第２のワイヤー駆動手段と、を含む
時計の装飾装置。
【請求項２】
上記装飾体の連動手段は、
上記第２のワイヤーの接続部を中心として一端側に上記尾部の一部が回動可能に軸支された中間子と、
上記中間子の他端側と上記嘴片の一部とを連結する連結子と、を含む
請求項１記載の時計の装飾装置。
【請求項３】
上記連結子は、上記嘴片の一部との連結部において、上記嘴片の後端部を上記中間子との連結側とは反対側に挿通した側の端部にストッパ部が形成され、当該中間子との連結側に嘴片の開閉範囲を規制する規制部が形成され、
上記ストッパ部と上記嘴片の後端部間には、上記ストッパ部を上記規制部が上記嘴片の後端部に当接し得る付勢力をもって付勢する付勢手段が配置されている
請求項１または２記載の時計の装飾装置。
【請求項４】
上記回転手段は、
回転軸を中心に一端側に上記第１のワイヤーが接続され、他端側が上記頭部の回転軸に連結された回転レバー体を有する
請求項１、２、または３記載の時計の装飾装置。
【請求項５】
上記回転手段の回転レバー体は、
上記頭部の回転軸に連結された第１のレバーと、
回転軸を中心に一端側に上記第２のワイヤーが接続された第２のレバーと、を有し、
上記第１のレバーと上記第２のレバーの他端側がワイヤーにより接続されている
請求項４記載の時計の装飾装置。
【請求項６】
上記第１のワイヤーおよび第２のワイヤーは、フレキシブルワイヤーである
請求項１〜５のうちいずれか一に記載の時計の装飾装置。
【請求項７】
上記駆動部は、上記筐体内において上記装飾体の取り付け位置に対応する位置に並列的に配置されている
請求項６記載の時計の装飾装置。
【請求項８】
上記駆動部は、上記第１のワイヤーおよび第２のワイヤーの他端部の接続位置を調整可能である
請求項６または７記載の時計の装飾装置。
【請求項９】
上記駆動部の第１および第２のモータを、毎正時に所定時間駆動する制御手段を有する
請求項１〜８のうちのいずれか一に記載の時計の装飾装置。
【発明の詳細な説明】
【技術分野】
【０００１】
本発明は、たとえば時計の筐体に取り付けられ、毎正時等に頭部や尾部等が可動するように制御される鳥体等により構成される時計の装飾装置に関するものである。
【背景技術】
【０００２】
従来より、時計の装飾装置としての鳥体が、毎正時等にたとえばメロディに合わせて体全体、あるいは頭部や尾部等を機械的な機構によって動作させる鳩時計や擬音報時時計が知られている。
【０００３】
具体的には、従来の装飾装置においては、足の代わりに管を立てて、その中に金属のワイヤーを通して垂直に動作させていた。そして、たとえば金属のワイヤーとオルゴール等の駆動に連動するカムによりいわゆる直線的な運動（垂直運動）をさせていた（たとえば特許文献１〜５参照）。
【特許文献１】特開昭５２−１１４３６３号公報
【特許文献２】実開昭５８−１８７７８２号公報
【特許文献３】特開昭５９−１３８９７６号公報
【特許文献４】実開昭６０−１３１８８７号公報
【特許文献５】実開平２−１７６９４号公報
【発明の開示】
【発明が解決しようとする課題】
【０００４】
しかしながら、従来の装飾装置は、上述したように、金属のワイヤーとオルゴール等の駆動に連動するカムにより直線的な運動をさせていたことから、その動きにはカムによる制限があり、動作が単純であった。
【０００５】
また、従来の装飾装置では、足の代わりに管を立てていたことから、管の露出をカモフラージュしていたが、鳥体全体の取り付け、容姿が不自然であった。
【０００６】
本発明は、かかる事情に鑑みてなされたものであり、その目的は、直線的な運動のみではなく、複雑な動作が可能で、取り付けおよび容姿が自然体に近い状態とすることが可能な時計の装飾装置を提供することにある。
【課題を解決するための手段】
【０００７】
上記目的を達成するために、本発明は、装飾体と、上記筐体内に配置された駆動部と、上記装飾体と上記駆動部間に接続された第１のワイヤーと、上記装飾体と上記駆動部間に接続された第２のワイヤーと、を有し、上記装飾体は、胴部と、上記胴部に対して所定範囲で回転可能に取り付けられ、開閉可能な嘴片を有する頭部と、上記胴部に対して所定範囲で回動可能に取り付けられた尾部と、上記胴部を支持し、かつ、底部側から上記胴部内に連通する連通孔が形成され、上記第１のワイヤーの一端側が挿通される第１の脚部と、上記胴部を支持し、かつ、底部側から上記胴部内に連通する連通孔が形成され、上記第２のワイヤーの一端側が挿通される第２の脚部と、少なくとも上記胴部内に配置され、上記第１のワイヤーの一端部が接続され、当該第１のワイヤーの往復運動に応じて上記頭部の所定範囲内での正逆回転往復動作を行わせる回転手段と、少なくとも上記胴部内に配置され、上記第２のワイヤーの一端部が接続され、当該第２のワイヤーの往復運動に応じて上記嘴片の開閉運動と上記尾部の回動動作を連動させる連動手段と、を含み、上記駆動部は、第１のモータを有し、上記第１のワイヤーの他端部が接続され、上記第１のモータの回転運動を所定範囲の往復運動に変換して上記第１のワイヤーの他端部に伝達する第１のワイヤー駆動手段と、第２のモータを有し、上記第２のワイヤーの他端部が接続され、上記第２のモータの回転運動を所定範囲の往復運動に変換して上記第２のワイヤーの他端部に伝達する第２のワイヤー駆動手段と、を含む。
【０００８】
好適には、上記装飾体の連動手段は、上記第２のワイヤーの接続部を中心として一端側に上記尾部の一部が回動可能に軸支された中間子と、上記連動子の他端側と上記嘴片の一部とを連結する連結子と、を含む。
【０００９】
好適には、上記連結子は、上記嘴片の一部との連結部において、上記嘴片の後端部を上記中間子との連結側とは反対側に挿通した側の端部にストッパ部が形成され、当該中間子との連結側に嘴片の開閉範囲を規制する規制部が形成され、上記ストッパ部と上記嘴片の後端部間には、上記ストッパ部を上記規制部が上記嘴片の後端部に当接し得る付勢力をもって付勢する付勢手段が配置されている。
【００１０】
好適には、上記回転手段は、回転軸を中心に一端側に上記第１のワイヤーが接続され、他端側が上記頭部の回転軸に連結された回転レバー体を有する。
好適には、上記回転手段の回転レバー体は、上記頭部の回転軸に連結された第１のレバーと、回転軸を中心に一端側に上記第１のワイヤーが接続された第２のレバーと、を有し、上記第１のレバーと上記第２のレバーの他端側がワイヤーにより接続されている。
【００１１】
好適には、上記第１のワイヤーおよび第２のワイヤーは、フレキシブルワイヤーである。
【００１２】
好適には、上記駆動部は、上記筐体内において上記装飾体の取り付け位置に対応する位置に並列的に配置されている。
【００１３】
好適には、上記駆動部は、上記第１のワイヤーおよび第２のワイヤーの他端部の接続位置を調整可能である。
【００１４】
好適には、上記駆動部の第１および第２のモータを、毎正時に所定時間駆動する制御手段を有する。
【発明の効果】
【００１５】
本発明によれば、直線的な運動のみではなく、複雑な動作が可能となる。
また、装飾体の取り付けおよび容姿を自然体に近い状態とすることが可能であるという利点がある。
【発明を実施するための最良の形態】
【００１６】
以下、本発明の実施形態を図面に関連付けて説明する。
【００１７】
図１は、本発明に係る装飾装置を採用した時計装置の一例を示す外観図である。
【００１８】
本時計装置１は、図１に示すように、基台となる所定の彫刻が施された、たとえば木製の箱型筐体２の上面側に、スタンド部３が取り付けられている。なお、筐体２内に後で詳述する駆動部が配置されている。
スタンド部３の正面側略中央部に時計本体４の文字盤４１が配置されている。そして、文字盤４１の周囲には、葡萄棚や葡萄を摘む少女や、切り株や、城等が豪華に配置され、かつ、木の枝や切り株に、本発明の係る装飾体５−１，５−２がたとえば文字盤４１の下方の両側に位置するように取り付けられている。
また、スタンド部３の両側部には、柱３１，３２が配置されており、上部全体には、所定の曲率をもたせた天板３３が配置されている。
【００１９】
図２は、本実施形態に係る装飾体の一例を示す外観図であり、図２（Ａ）が正面図、図２（Ｂ）が側面図、図２（Ｃ）が上面図である。
図１および図２（Ａ）〜（Ｃ）に示すように、本実施形態の装飾体５−１、５−２は、容姿が小鳥の形態をもって形成されている。
装飾体５−１、５−２の容姿は、自然体に近い状態をもってリアルに形成されている。
【００２０】
装飾体５（−１，−２）は、基本的には、胴部５１と、胴部５１の上部側（前部側）に対して所定の回転軸を中心に所定範囲で回転可能（いわゆる首振り可能）に取り付けられ、開閉可能な嘴片５２１を有する頭部５２と、胴部５１の後部側に対して所定範囲で動作可能に取り付けられ所定長さおよび重さを有する尾部５３と、胴部５１を支持する第１の脚部５４および第２の脚部５５とを有する。
【００２１】
図３は、本実施形態に係る装飾体５（−１，−２）の具体的な駆動機構を説明するための図であって、図３（Ａ）は嘴片５２１の上面図、図３（Ｂ）は駆動機構の要部上面図、図３（Ｃ）は駆動機構の側面図、図３（Ｄ）は底面図である。
【００２２】
装飾体５は、図３（Ｃ）に示すように、胴部５１、および頭部５２内が中空に形成されている。
胴部５１は、基本的には、図３（Ｃ）および（Ｄ）に示すように、下型５１ａと上型５１ｂを有し、胴部５１における頭部５２の取り付け位置の近傍の下型５１ａの内部に、ホルダー５１１がネジ止めされている。
頭部５２の頂部の内壁に回転軸となるシャフト５２２の一端が固定されている。ホルダー５１１には、シャフトが回転可能に挿入可能な挿入口５１１ａが形成されている。この挿入口５１１ａにシャフト５２１の他端部を挿入することにより胴部５１に対して頭部５２を回転可能（首振り可能）に取り付けられる。
そして、シャフト５２２の他端に回転レバー（第１のレバー）５２３が圧入されている。
【００２３】
第１の脚部５４は、図３（Ｃ），（Ｄ）に示すように、底部５４ａ側から胴部５１内に連通する連通孔５４１が形成され、フレキシブルワイヤー、たとえばナイロン製ワイヤーからなるフレキシブルなチューブ６ａに挿通された第１のワイヤー６の一端側が挿通されるように構成されている。
【００２４】
第２の脚部５５は、図３（Ｃ），（Ｄ）に示すように、底部５５ａ側から胴部５１内に連通する連通孔５５１が形成され、フレキシブルワイヤー、たとえばナイロン製ワイヤーからなるフレキシブルなチューブ７ａに挿通された第２のワイヤー７の一端側が挿通されるように構成されている。
【００２５】
胴部５１内には、第１のワイヤー６の一端部が接続され、第１のワイヤー６の往復運動に応じて頭部５２を所定範囲内での正逆回転往復動作（首振り動作）を行わせる回転部５６が配置されている。
【００２６】
回転部５６は、略Ｌ字状をなし、その屈曲部が、下型５１ａまたは上型５１ｂに固定された回転軸としてのスタッド５６１に回転可能に軸支され、スタッド５６１を中心に一端側（図３（Ｃ）の右側）に第１のワイヤー６の一端が接続（固定）され、他端側（図３（Ｃ）の上側）が、頭部５２のシャフト５２２に圧入されている第１のレバーとしての回転レバー５２３に連結された第２のレバーとしての回転レバー体５６２を有する。
なお、本実施形態においては、回転レバー体５６２の他端側と回転レバー５２２は、ワイヤー５６３により連結されている。
【００２７】
胴部５１内には、第２のワイヤー７の一端部が接続され、第２のワイヤー７の往復運動に応じて嘴片５２１の開閉運動と上記尾部の回動動作を連動させる連動部５７が配置されている。
連動部５７は、第２のワイヤー７の一端部が接続（固定）され、その接続部を中心として一端側（図３（Ｃ）中の右側）は、略Ｌ状に屈曲され、この屈曲部は下型５１ａまたは上型５１ｂに固定された回転軸としてのスタッド５７１に尾部５３の一端部５３１とともに回動可能に軸支された中間子５７２と、中間子５７２の他端側（図３（Ｃ）中の左側）と嘴片５２１の後端部５２１ａとを連結する連結子５７３と、を含む。
【００２８】
嘴片５２１の後端部５２１ａには、図３（Ａ）に示すように、挿通孔５２１ｂが形成されており、この挿通孔５２１ｂに、連動部５７の連結子５７３の一端側が軸方向に移動可能に挿通されている。また、連結子５７３の他端部は、中間子５７２の他端部に固定されている。
また、嘴片５２１の長手方向の略中央部にシャフト５２２の径より大ききな径を有する挿入孔５２１ｃが形成されており、この挿入孔５２１ａにシャフト５２２が遊びを持たせて挿通されている。すなわち、嘴片５２１は、シャフト５２２に対し挿入孔５２１ｃを会して自在に保持されている。
【００２９】
連結子５７３の嘴片５２１の連結部において、図４に示すように、嘴片５２１の後端部５２１ａを中間子５７２との連結側とは反対側に挿通した側の端部にストッパ部５７３ａが形成され、中間子５７２との連結側に嘴片５２１の開閉範囲を規制する規制部５７３ｂが形成されている。
また、ストッパ部５７３ａと嘴片５２１の後端部５２１ａ（挿通孔５２１ｂ）間には、ストッパ部５７３ａを規制部５７３ｂが嘴片５２１の後端部５２１ａに当接し得る付勢力をもって付勢する付勢手段としてのコイルバネ５７４が、連結子５７３の一端側を挿入した形態で配置されている。
【００３０】
本実施形態においては、第１のワイヤー６は、その一端部が、筐体２から図１の例では、木の幹および枝、切り株の中に形成された案内孔を通して、装飾体５の第１の脚部５４の底部５４ａ側から胴部５１内に連通する連通孔５４１を挿通されている。
同様に、第２のワイヤー７は、その一端部が、筐体２から図１の例では、木の幹および枝、切り株の中に形成された案内孔を通して、装飾体５の第２の脚部５５の底部５５ａ側から胴部５１内に連通する連通孔５５１を挿通されている。
【００３１】
そして、第１のワイヤー６および第２のワイヤー７の他端部は、図５に示すように、筐体２内に配置された駆動部８−１，８−２に接続されている。
本実施形態においては、第１のワイヤー６および第２のワイヤー７は、駆動部８−１，８−２により、同時に駆動される。
本実施形態では、第１のワイヤー６および第２のワイヤー７をフレキシブルなワイヤーにより形成していることから、駆動部８−１，８−２の筐体２内への配置は、装飾体５−１，５−２の取り付け位置の略下方ではなく、たとえば図５に示すように、筐体２内において装飾体５−１，５−２の取り付け位置に対応する位置に並列的に配置可能となっている。
これにより、筐体２の厚さを小さくでき、また、設計の自由度が高いくなっている。
【００３２】
図６（Ａ）および（Ｂ）は、本実施形態に係る駆動部８（−１，−２）の構成例を示す図であって、図６（Ａ）は上面図、図６（Ｂ）は正面図である。
【００３３】
駆動部８−１，８−２は同一の構成を有し、それぞれ、第１のモータ８１１を有し、第１のワイヤー６の他端部が接続され、第１のモータ８１１の回転運動を所定範囲の往復運動に変換して第１のワイヤー６の他端部に伝達する第１のワイヤー駆動部８１と、第２のモータ８２１を有し、第２のワイヤー７の他端部が接続され、第２のモータ８２１の回転運動を所定範囲の往復運動に変換して第２のワイヤー７の他端部に伝達する第２のワイヤー駆動部８２と、を含む。
【００３４】
第１のワイヤー駆動部８１は、第１のモータ８１１の回転軸８１１ａに取り付けられた歯車８１２と、歯車８１２と噛合する歯車８１３と、歯車８１３の回転軸８１３ａに固定された偏心カム８１４と、第１のワイヤー６が挿入されているチューブ６ａ所定の位置で保持するチューブホルダー８１５を主構成要素として有している。
そして、第１のワイヤー６の他端部が回転運動を往復運動に変換する偏心カム８１４に取り付け可能に構成されている。また、この取り付け部は、取り付け位置（接続位置）を調整可能で、この位置調整により、装飾体５の頭部５１の回転位置や嘴片５２１の開閉位置を制御可能に構成されている。
【００３５】
なお、図６（Ａ）および（Ｂ）では、図面の簡単化のため第１のワイヤー駆動部８１のみを具体的に示しているが、第２のワイヤー駆動部８２も偏心カム等の配置向き等が多少異なるのみで基本的な構成は、第１のワイヤー駆動部８１と同様である。
【００３６】
図７は、本実施形態に係る時計装置の制御系を示す図である。
本実施形態の時計装置１では、たとえば制御回路９が、毎正時になると、メロディ発生回路１０を通して所定の報時用メロディを所定時間放音させるとともに、駆動部８一１，８−２に駆動信号ＤＲＶ１，ＤＲＶ２を出力して、所定時間第１および第２のモータ８１１，８２１を回転させる。
これにより、第１のワイヤー６および第２のワイヤー７を所定の範囲で往復運動させて、放音されているメロディの合わせて、装飾体５−１，５−２を嘴片５２１の開閉と尾部５３の所定範囲での回動動作を連動させるととも、首振り動作を行うにように制御される。
【００３７】
本実施形態においては、正時ではなく、制御回路９による駆動制御が行われていないとき、嘴片５２１が開状態にあるいか閉状態にあるかは、モータ停止時の偏心カム８１４の位置関係で決まる。
たとえば、第２のワイヤー７を筐体２内に引き込むような状態となっているときは、装飾体５−１，５−２では、尾部５３の重さにより、連動部５７の中間子５７２が下方に下がるような作用を受ける。
その結果、連結子５７３も下方に下がり、連結子５７３の嘴片５２１の後端部５２１ａとの連結部は、図４（Ｂ）に示すように、コイルバネ５７４がストッパ部５７３ａにより圧縮される。すなわち、装飾体５−１，５−２の嘴片５２１は、開いた状態に保持される。
一方、第２のワイヤー７を胴部５１内に押し込むような状態となっているときは、この押し込む力が尾部５３の重さに抗して装飾体５−１，５−２では、連結子５７３が上方に上がり、連結子５７３の嘴片５２１の後端部５２１ａとの連結部は、図４（Ａ）に示すような状態となる。すなわち、装飾体５−１，５−２の嘴片５２１は、閉じた状態に保持される。
【００３８】
そして、正時になって、制御回路９のよる所定時間にわたる駆動制御が開始されると、第２のワイヤー７の往復運動の採用により、中間子５７２が所定の範囲で上下し、連結子５７３の嘴片５２１の後端部５２１ａとの連結部は、図４（Ａ）と図４（Ｂ）の状態を繰り返し、嘴片５２１が開閉動作を繰り返すとともに、尾部５３がスタッド５７１を中心に所定範囲で回動（上下）する。
また、これと並行して、第１のワイヤー６の往復運動により回転レバー体５６２がスタッド５６１を中心に回転することにより、ワイヤー５６３で連結された回転レバー５２３が所定範囲で正逆方向に回転する。
その結果、回転レバー５２３が圧入されているシャフト５２２が所定範囲で正逆方向に回転し、シャフト５２２に固定されている頭部５２が所定範囲で正逆方向に回転、すなわち、首振り動作を所定時間繰り返す。
【００３９】
以上説明したように、本実施の形態によれば、装飾体５−１，５−２と、筐体２内に配置された駆動部と、装飾体と駆動部間に接続された第１のワイヤー６と、装飾体と駆動部間に接続された第２のワイヤー７と、を有し、装飾体５−１，５−２は、胴部５１と、胴部に対して所定範囲で回転可能に取り付けられ、開閉可能な嘴片を有する頭部５２と、胴部に対して所定範囲で回動可能に取り付けられた尾部５３と、胴部５１を支持し、かつ、底部側５４ａから胴部内に連通する連通孔５４１が形成され、第１のワイヤー６の一端側が挿通される第１の脚部５４と、胴部５１を支持し、かつ、底部５５ａ側から胴部５１内に連通する連通孔５５１が形成され、第２のワイヤー７の一端側が挿通される第２の脚部５５と、胴部５１内に配置され、第１のワイヤー６の一端部が接続され、第１のワイヤー６の往復運動に応じて頭部５２の所定範囲内での正逆回転往復動作を行わせる回転部５６と、胴部５１内に配置され、第２のワイヤー７の一端部が接続され、第２のワイヤー７の往復運動に応じて嘴片５２１の開閉運動と尾部の回動動作を連動させる連動部５７と、を含むことから、以下の効果を得ることができる。
【００４０】
すなわち、本実施形態によれば、直線的な運動のみではなく、複雑な動作が可能となる。
また、装飾体の取り付けおよび容姿を自然体に近い状態とすることが可能であるという利点がある。
また、装飾体は、分解、組み立てが可能な構造となっているため、部品単位で交換が可能である等、メインテナンスやサービス向上を図れる利点がある。
【００４１】
なお、本発明は本実施の形態に限られるものではなく、任意好適な種々の改変が可能である。たとえば、制御回路９の処理方法は、上述した実施の形態に限られるものではない。また、メロディ発生回路はなくてもよい。
【図面の簡単な説明】
【００４２】
【図１】本発明に係る装飾装置を採用した時計装置の一例を示す外観図である。
【図２】本実施形態に係る装飾体の一例を示す外観図であり、図２（Ａ）が正面図、図２（Ｂ）が側面図、図２（Ｃ）が上面図である。
【図３】本実施形態に係る装飾体の具体的な駆動機構を説明するための図であって、（Ａ）は嘴片の上面図、（Ｂ）は駆動機構の要部上面図、（Ｃ）は駆動機構の側面図、（Ｄ）は底面図である。
【図４】本実施形態に係る連結子と嘴片との連結部の具体的な連結構造を示す図である。
【図５】本実施形態に係る駆動部の筐体内の配置例を示す図である。
【図６】本実施形態に係る駆動部の構成例を示す図であって、（Ａ）は上面図、（Ｂ）は正面図である。
【図７】本実施形態に係る時計装置の制御系を示す図である。
【符号の説明】
【００４３】
１…時計装置、２…筐体、４…時計本体、５−１，５−２…装飾体、５１…胴部、５１１…ホルダー、５２…頭部、５２１…嘴片、５２２…シャフト、５２３…回転レバー（第１レバー）、５３…尾部、５４…第１の脚部、５４１…挿通孔、５５…第２の脚部、５５１…挿通孔、５６…回転部、５６２…回転レバー体（第２のレバー）、５６３…ワイヤー、５７…連動部、５７２…中間子、５７３…連結子、５７３ａ…ストッパ部、５７３ｂ…規制部、５７４…コイルバネ（付勢手段）。
【図１】
2005292053.tif 000003
【図２】
2005292053.tif 000004
【図３】
2005292053.tif 000005
【図４】
2005292053.tif 000006
【図５】
2005292053.tif 000007
【図６】
2005292053.tif 000008
【図７】
2005292053.tif 000009
【手続補正書】
【提出日】平成16年12月13日(2004.12.13)
【手続補正１】
【補正対象書類名】図面
【補正対象項目名】全図
【補正方法】変更
【補正の内容】
【図１】
2005292053.tif 000010
【図２】
2005292053.tif 000011
【図３】
2005292053.tif 000012
【図４】
2005292053.tif 000013
【図５】
2005292053.tif 000014
【図６】
2005292053.tif 000015
【図７】
2005292053.tif 000016